【手続補正書】
【提出日】平成17年2月17日(2005.2.17)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】
第１の配線と、第２の配線と、第１のＴＦＴと、第２のＴＦＴと画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続されていることを特徴とする表示装置。
【請求項２】
第１の配線と、第２の配線と、第１のＴＦＴと、第２のＴＦＴと画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第１のＴＦＴと前記第２のＴＦＴのうち一方はｐチャネル型ＴＦＴであり、他方はｎチャネル型ＴＦＴであることを特徴とする表示装置。
【請求項３】
第１の配線と、第２の配線と、第１のＴＦＴと、第２のＴＦＴと、第３のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３のＴＦＴのソースまたはドレインの一方と前記第１のＴＦＴのゲート電極及び前記第２のＴＦＴのゲート電極と接続され、
前記第１のＴＦＴと前記第２のＴＦＴのうち一方はｐチャネル型ＴＦＴであり、他方はｎチャネル型ＴＦＴであることを特徴とする表示装置。
【請求項４】
第１の配線と、第２の配線と、第３の配線と、第１のＴＦＴと、第２のＴＦＴと、第３のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３の配線は、前記第３のＴＦＴのゲート電極と接続され、
前記第３のＴＦＴのソースまたはドレインの一方と前記第１のＴＦＴのゲート電極及び前記第２のＴＦＴのゲート電極と接続され、
前記第１のＴＦＴと前記第２のＴＦＴのうち一方はｐチャネル型ＴＦＴであり、他方はｎチャネル型ＴＦＴであることを特徴とする表示装置。
【請求項５】
第１の配線と、第２の配線と、第３の配線と、第４の配線と、第１のＴＦＴと、第２のＴＦＴと、第３のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３の配線は、前記第３のＴＦＴのゲート電極と接続され、
前記第４の配線は、前記第３のＴＦＴのソースまたはドレインの一方と接続され、
前記第３のＴＦＴのソースまたはドレインの他方は、前記第１のＴＦＴのゲート電極及び前記第２のＴＦＴのゲート電極と接続され、
前記第１のＴＦＴと前記第２のＴＦＴのうち一方はｐチャネル型ＴＦＴであり、他方はｎチャネル型ＴＦＴであることを特徴とする表示装置。
【請求項６】
第１の配線と、第２の配線と、第１のＴＦＴと、第２のＴＦＴと、第３のＴＦＴと、第４のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３のＴＦＴのソースまたはドレインの一方と前記第１のＴＦＴのゲート電極及び前記第２のＴＦＴのゲート電極と接続され、
前記第４のＴＦＴのソースまたはドレインの一方は、前記第１のＴＦＴのゲート電極及び前記第２のゲート電極と接続され、前記第４のＴＦＴのソースまたはドレインの他方は、前記第１の配線と接続され、
前記第１のＴＦＴと前記第２のＴＦＴのうち一方はｐチャネル型ＴＦＴであり、他方はｎチャネル型ＴＦＴであることを特徴とする表示装置。
【請求項７】
第１の配線と、第２の配線と、第３の配線と、第１のＴＦＴと、第２のＴＦＴと、第３のＴＦＴと、第４のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３の配線は、前記第３のＴＦＴのゲート電極と接続され、
前記第３のＴＦＴのソースまたはドレインの一方と前記第１のＴＦＴのゲート電極及び前記第２のＴＦＴのゲート電極と接続され、
前記第４のＴＦＴのソースまたはドレインの一方は、前記第１のＴＦＴのゲート電極及び前記第２のゲート電極と接続され、前記第４のＴＦＴのソースまたはドレインの他方は、前記第１の配線と接続され、
前記第１のＴＦＴと前記第２のＴＦＴのうち一方はｐチャネル型ＴＦＴであり、他方はｎチャネル型ＴＦＴであることを特徴とする表示装置。
【請求項８】
第１の配線と、第２の配線と、第３の配線と、第４の配線と、第１のＴＦＴと、第２のＴＦＴと、第３のＴＦＴと、第４のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３の配線は、前記第３のＴＦＴのゲート電極と接続され、
前記第４の配線は、前記第３のＴＦＴのソースまたはドレインの一方と接続され、
前記第３のＴＦＴのソースまたはドレインの他方は、前記第１のＴＦＴのゲート電極及び前記第２のＴＦＴのゲート電極と接続され、
前記第４のＴＦＴのソースまたはドレインの一方は、前記第１のＴＦＴのゲート電極及び前記第２のゲート電極と接続され、前記第４のＴＦＴのソースまたはドレインの他方は、前記第１の配線と接続され、
前記第１のＴＦＴと前記第２のＴＦＴのうち一方はｐチャネル型ＴＦＴであり、他方はｎチャネル型ＴＦＴであることを特徴とする表示装置。
【請求項９】
第１の配線と、第２の配線と、第３の配線と、第４の配線と、第５の配線と、第１のＴＦＴと、第２のＴＦＴと、第３のＴＦＴと、第４のＴＦＴと、画素電極を有する表示装置であって、
前記第１の配線は、前記第１のＴＦＴのソースまたはドレインの一方と接続され、前記第１のＴＦＴのソースまたはドレインの他方は、前記画素電極と接続され、
前記第２の配線は、前記第２のＴＦＴのソースまたはドレインの一方と接続され、前記第２のＴＦＴのソースまたはドレインの他方は、前記画素電極と接続され、
前記第３の配線は、前記第３のＴＦＴのゲート電極と接続され、
前記第４の配線は、前記第３のＴＦＴのソースまたはドレインの一方と接続され、
前記第３のＴＦＴのソースまたはドレインの他方は、前記第１のＴＦＴのゲート電極及び前記第２のＴＦＴのゲート電極と接続され、
前記第５の配線は、前記第４のＴＦＴのゲート電極と接続され、
前記第４のＴＦＴのソースまたはドレインの一方は、前記第１のＴＦＴのゲート電極及び前記第２のゲート電極と接続され、前記第４のＴＦＴのソースまたはドレインの他方は、前記第１の配線と接続され、
前記第１のＴＦＴと前記第２のＴＦＴのうち一方はｐチャネル型ＴＦＴであり、他方はｎチャネル型ＴＦＴであることを特徴とする表示装置。
【請求項１０】
電源線と、放電線と、第１のＴＦＴと、第２のＴＦＴと画素電極を有する表示装置であって、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続されていることを特徴とする表示装置。
【請求項１１】
電源線と、放電線と、第１のＴＦＴと、第２のＴＦＴと画素電極を有する表示装置であって、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１のＴＦＴと前記第２のＴＦＴのうち一方はｐチャネル型ＴＦＴであり、他方はｎチャネル型ＴＦＴであることを特徴とする表示装置。
【請求項１２】
信号線と、走査線と、電源線と、放電線と、第１のＴＦＴと、第２のＴＦＴと、第３のＴＦＴと画素電極を有する表示装置であって、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記走査線は、前記第３のＴＦＴのゲート電極に接続され、
前記信号線は、前記第３のＴＦＴのソースまたはドレインの一方と接続され、前記第３のＴＦＴのソースまたはドレインの他方は、前記第１のＴＦＴのゲート電極及び前記第２のＴＦＴのゲート電極と接続されていることを特徴とする表示装置。
【請求項１３】
信号線と、走査線と、電源線と、放電線と、第１のＴＦＴと、第２のＴＦＴと、第３のＴＦＴと画素電極を有する表示装置であって、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記走査線は、前記第３のＴＦＴのゲート電極に接続され、
前記信号線は、前記第３のＴＦＴのソースまたはドレインの一方と接続され、前記第３のＴＦＴのソースまたはドレインの他方は、前記第１のＴＦＴのゲート電極及び前記第２のＴＦＴのゲート電極と接続され、
前記第１のＴＦＴと前記第２のＴＦＴのうち一方はｐチャネル型ＴＦＴであり、他方はｎチャネル型ＴＦＴであることを特徴とする表示装置。
【請求項１４】
信号線と、第１の走査線と、第２の走査線と、電源線と、放電線と、第１のＴＦＴと、第２のＴＦＴと、第３のＴＦＴと、第４のＴＦＴと画素電極を有する表示装置であって、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１の走査線は、前記第３のＴＦＴのゲート電極に接続され、
前記信号線は、第３のＴＦＴのソースまたはドレインの一方と接続され、前記第３のＴＦＴのソースまたはドレインの他方は、前記第１のＴＦＴのゲート電極及び前記第２のＴＦＴのゲート電極と接続され、
前記第２の走査線は、前記第４のＴＦＴのゲート電極に接続され、
前記第４のＴＦＴのソースまたはドレインの一方は前記電源線と接続され、前記第４のＴＦＴのソースまたはドレインの他方は、前記第１のＴＦＴのゲート電極及び前記第２のＴＦＴのゲート電極と接続されていることを特徴とする表示装置。
【請求項１５】
信号線と、第１の走査線と、第２の走査線と、電源線と、放電線と、第１のＴＦＴと、第２のＴＦＴと、第３のＴＦＴと、第４のＴＦＴと画素電極を有する表示装置であって、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１の走査線は、前記第３のＴＦＴのゲート電極に接続され、
前記信号線は、前記第３のＴＦＴのソースまたはドレインの一方と接続され、前記第３のＴＦＴのソースまたはドレインの他方は、前記第１のＴＦＴのゲート電極及び前記第２のＴＦＴのゲート電極と接続され、
前記第２の走査線は、前記第４のＴＦＴのゲート電極に接続され、
前記第４のＴＦＴのソースまたはドレインの一方は前記電源線と接続され、前記第４のＴＦＴのソースまたはドレインの他方は、前記第１のＴＦＴのゲート電極及び前記第２のＴＦＴのゲート電極と接続され、
前記第１のＴＦＴと前記第２のＴＦＴのうち一方はｐチャネル型ＴＦＴであり、他方はｎチャネル型ＴＦＴであることを特徴とする表示装置。
【請求項１６】
信号線と、走査線と、電源線と、第１のＴＦＴと、第２のＴＦＴと、第３のＴＦＴと画素電極を有する画素が複数隣接して設けられた表示装置であって、
前記電源線は、前記第１のＴＦＴのソースまたはドレインの一方と接続され、前記第１のＴＦＴのソースまたはドレインの他方は、前記画素電極と接続され、
前記第２のＴＦＴのソースまたはドレインの一方は画素電極に接続され、前記第２のＴＦＴのソースまたはドレインの他方は、前記隣接する他の画素が有する前記走査線と接続され、
前記第３のＴＦＴと前記第２のＴＦＴの極性が同じであることを特徴とする表示装置。
【請求項１７】
信号線と、走査線と、電源線と、第１のＴＦＴと、第２のＴＦＴと、第３のＴＦＴと画素電極を有する画素が複数隣接して設けられた表示装置であって、
前記電源線は、前記第１のＴＦＴのソースまたはドレインの一方と接続され、前記第１のＴＦＴのソースまたはドレインの他方は、前記画素電極と接続され、
前記第２のＴＦＴのソースまたはドレインの一方は画素電極に接続され、前記第２のＴＦＴのソースまたはドレインの他方は、前記隣接する他の画素が有する前記走査線と接続され、
前記第１のＴＦＴと前記第２のＴＦＴのうち一方はｐチャネル型ＴＦＴであり、他方はｎチャネル型ＴＦＴであって、
前記第３のＴＦＴと前記第２のＴＦＴの極性が同じであることを特徴とする表示装置。
【請求項１８】
請求項１２乃至請求項１８のいずれか１項において、前記第３のＴＦＴがオンのとき、前記第３のＴＦＴは、前記信号線から入力されたビデオ信号を前記第１のＴＦＴのゲート電極及び前記第２のＴＦＴのゲート電極に入力することを特徴とする表示装置。
【請求項１９】
請求項１４乃至請求項１５のいずれか１項において、前記第４のＴＦＴがオンのとき、前記電源線の電位は、前記第１のＴＦＴのゲート電極及び前記第２のＴＦＴのゲート電極に入力されることを特徴とする表示装置。
【請求項２０】
電源線と、放電線と、第１のＴＦＴと、第２のＴＦＴと、画素電極と、対向電極を有する表示装置であって、
前記対向電極の電位が前記電源線の電位より低いときは、前記放電線の電位も前記電源線の電位よりも低く、
前記対向電極の電位が前記電源線の電位より高いときは、前記放電線の電位は前記電源線の電位よりも高く、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続されていることを特徴とする表示装置。
【請求項２１】
電源線と、放電線と、第１のＴＦＴと、第２のＴＦＴと、画素電極と、対向電極を有する表示装置であって、
前記対向電極の電位は前記電源線の電位よりも低く、
前記放電線の電位は前記電源線の電位よりも低く、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１のＴＦＴはｐチャネル型ＴＦＴであり、前記第２のＴＦＴはｎチャネル型ＴＦＴであることを特徴とする表示装置。
【請求項２２】
電源線と、放電線と、第１のＴＦＴと、第２のＴＦＴと、画素電極と、対向電極を有する表示装置であって、
前記対向電極の電位は前記電源線の電位より高く、
前記放電線の電位は前記電源線の電位より高く、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１のＴＦＴはｎチャネル型ＴＦＴであり、前記第２のＴＦＴはｐチャネル型ＴＦＴであることを特徴とする表示装置。
【請求項２３】
電源線と、放電線と、第１のＴＦＴと、第２のＴＦＴと、画素電極と、対向電極を有する表示装置であって、
前記対向電極と前記放電線の電位は同じであり、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続されていることを特徴とする表示装置。
【請求項２４】
電源線と、放電線と、第１のＴＦＴと、第２のＴＦＴと、画素電極と、対向電極を有する表示装置であって、
前記対向電極と前記放電線の電位は同じであり、
前記対向電極と前記放電線の電位は、前記電源線の電位より低く、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１のＴＦＴはｐチャネル型ＴＦＴであり、前記第２のＴＦＴはｎチャネル型ＴＦＴであることを特徴とする表示装置。
【請求項２５】
電源線と、放電線と、第１のＴＦＴと、第２のＴＦＴと、画素電極と、対向電極を有する表示装置であって、
前記対向電極と前記放電線の電位は同じであり、
前記対向電極と前記放電線の電位は前記電源線の電位より高く、
前記電源線は、前記第１のＴＦＴのソースまたはドレインの一方と接続され、前記第１のＴＦＴのソースまたはドレインの他方は、前記画素電極と接続され、
前記放電線は、前記第２のＴＦＴのソースまたはドレインの一方と接続され、前記第２のＴＦＴのソースまたはドレインの他方は、前記画素電極と接続され、
前記第１のＴＦＴはｎチャネル型ＴＦＴであり、前記第２のＴＦＴはｐチャネル型ＴＦＴであることを特徴とする表示装置。
【請求項２６】
請求項１乃至請求項２５のいずれか１項において、前記第１のＴＦＴのゲート電極または前記第２のＴＦＴのゲート電極は容量素子と接続されていることを特徴とする表示装置。
【請求項２７】
請求項１乃至請求項２５のいずれか１項において、前記第１のＴＦＴのゲート電極及び前記第２のＴＦＴのゲート電極は容量素子と接続されていることを特徴とする表示装置。
【請求項２８】
第１の配線と、第１のＴＦＴと、第２のＴＦＴと、容量素子と、画素電極を有する表示装置であって、
前記第１の配線は、前記第２のＴＦＴのソースまたはドレインの一方と接続され、
前記第１のＴＦＴのソースまたはドレインの一方は、前記画素電極と接続され、
前記第２のＴＦＴのソースまたはドレインの他方は、前記画素電極と接続され、
前記容量素子は、前記第１のＴＦＴのゲート電極または前記第２のＴＦＴのゲート電極と接続されていることを特徴とする表示装置。
【請求項２９】
第１の配線と、第１のＴＦＴと、第２のＴＦＴと、容量素子と、画素電極を有する表示装置であって、
前記第１の配線は、前記第２のＴＦＴのソースまたはドレインの一方と接続され、
前記第１のＴＦＴのソースまたはドレインの一方は、前記画素電極と接続され、
前記第２のＴＦＴのソースまたはドレインの他方は、前記画素電極と接続され、
前記容量素子は、前記第１のＴＦＴのゲート電極及び前記第２のＴＦＴのゲート電極と接続されていることを特徴とする表示装置。
【請求項３０】
第１の配線と、第２の配線と、第１のＴＦＴと、第２のＴＦＴと、容量素子と、画素電極を有する表示装置であって、
前記第１の配線は、前記第２のＴＦＴのソースまたはドレインの一方と接続され、
前記第２の配線は、前記容量素子の一方の端子と接続され、
前記第１のＴＦＴのソースまたはドレインの一方は、前記画素電極と接続され、
前記第２のＴＦＴのソースまたはドレインの他方は、前記画素電極と接続され、
前記容量素子の他方の端子は、前記第１のＴＦＴのゲート電極または前記第２のＴＦＴのゲート電極と接続されていることを特徴とする表示装置。
【請求項３１】
第１の配線と、第２の配線と、第１のＴＦＴと、第２のＴＦＴと、容量素子と、画素電極を有する表示装置であって、
前記第１の配線は、前記第２のＴＦＴのソースまたはドレインの一方と接続され、
前記第２の配線は、前記容量素子の一方の端子と接続され、
前記第１のＴＦＴのソースまたはドレインの一方は、前記画素電極と接続され、
前記第２のＴＦＴのソースまたはドレインの他方は、前記画素電極と接続され、
前記容量素子の他方の端子は、前記第１のＴＦＴのゲート電極及び前記第２のＴＦＴのゲート電極と接続されていることを特徴とする表示装置。
【請求項３２】
第１の配線と、第１のＴＦＴと、第２のＴＦＴと、第３のＴＦＴと、容量素子と、画素電極を有する表示装置であって、
前記第１の配線は、前記第２のＴＦＴのソースまたはドレインの一方と接続され、
前記第１のＴＦＴのソースまたはドレインの一方は、前記画素電極と接続され、
前記第２のＴＦＴのソースまたはドレインの他方は、前記画素電極と接続され、
前記第３のＴＦＴのソースまたはドレインの一方は、前記第１のＴＦＴのゲート電極及び前記第２のＴＦＴのゲート電極に接続され、
前記容量素子は、前記第１のＴＦＴのゲート電極または前記第２のＴＦＴのゲート電極と接続されていることを特徴とする表示装置。
【請求項３３】
第１の配線と、第１のＴＦＴと、第２のＴＦＴと、第３のＴＦＴと、容量素子と、画素電極を有する表示装置であって、
前記第１の配線は、前記第２のＴＦＴのソースまたはドレインの一方と接続され、
前記第１のＴＦＴのソースまたはドレインの一方は、前記画素電極と接続され、
前記第２のＴＦＴのソースまたはドレインの他方は、前記画素電極と接続され、
前記第３のＴＦＴのソースまたはドレインの一方は、前記第１のＴＦＴのゲート電極及び前記第２のＴＦＴのゲート電極に接続され、
前記容量素子は、前記第１のＴＦＴのゲート電極及び前記第２のＴＦＴのゲート電極と接続されていることを特徴とする表示装置。
【請求項３４】
第１の配線と、第２の配線と、第１のＴＦＴと、第２のＴＦＴと、第３のＴＦＴと、容量素子と、画素電極を有する表示装置であって、
前記第１の配線は、前記第２のＴＦＴのソースまたはドレインの一方と接続され、
前記第２の配線は、前記容量素子の一方の端子と接続され、
前記第１のＴＦＴのソースまたはドレインの一方は、前記画素電極と接続され、
前記第２のＴＦＴのソースまたはドレインの他方は、前記画素電極と接続され、
前記第３のＴＦＴのソースまたはドレインの一方は、前記第１のＴＦＴのゲート電極及び前記第２のＴＦＴのゲート電極に接続され、
前記容量素子の他方の端子は、前記第１のＴＦＴのゲート電極または前記第２のＴＦＴのゲート電極と接続されていることを特徴とする表示装置。
【請求項３５】
第１の配線と、第２の配線と、第１のＴＦＴと、第２のＴＦＴと、第３のＴＦＴと、容量素子と、画素電極を有する表示装置であって、
前記第１の配線は、前記第２のＴＦＴのソースまたはドレインの一方と接続され、
前記第２の配線は、前記容量素子の一方の端子と接続され、
前記第１のＴＦＴのソースまたはドレインの一方は、前記画素電極と接続され、
前記第２のＴＦＴのソースまたはドレインの他方は、前記画素電極と接続され、
前記第３のＴＦＴのソースまたはドレインの一方は、前記第１のＴＦＴのゲート電極及び前記第２のＴＦＴのゲート電極に接続され、
前記容量素子の他方の端子は、前記第１のＴＦＴのゲート電極及び前記第２のＴＦＴのゲート電極と接続されていることを特徴とする表示装置。
【請求項３６】
第１の配線と、第２の配線と、第３の配線と、第１のＴＦＴと、第２のＴＦＴと、第３のＴＦＴと、容量素子と、画素電極を有する表示装置であって、
前記第１の配線は、前記第２のＴＦＴのソースまたはドレインの一方と接続され、
前記第２の配線は、前記容量素子の一方の端子と接続され、
前記第３の配線は、前記第３のゲート電極と接続され、
前記第１のＴＦＴのソースまたはドレインの一方は、前記画素電極と接続され、
前記第２のＴＦＴのソースまたはドレインの他方は、前記画素電極と接続され、
前記第３のＴＦＴのソースまたはドレインの一方は、前記第１のＴＦＴのゲート電極及び前記第２のＴＦＴのゲート電極に接続され、
前記容量素子の他方の端子は、前記第１のＴＦＴのゲート電極または前記第２のＴＦＴのゲート電極と接続されていることを特徴とする表示装置。
【請求項３７】
第１の配線と、第２の配線と、第３の配線と、第１のＴＦＴと、第２のＴＦＴと、第３のＴＦＴと、容量素子と、画素電極を有する表示装置であって、
前記第１の配線は、前記第２のＴＦＴのソースまたはドレインの一方と接続され、
前記第２の配線は、前記容量素子の一方の端子と接続され、
前記第３の配線は、前記第３のゲート電極と接続され、
前記第１のＴＦＴのソースまたはドレインの一方は、前記画素電極と接続され、
前記第２のＴＦＴのソースまたはドレインの他方は、前記画素電極と接続され、
前記第３のＴＦＴのソースまたはドレインの一方は、前記第１のＴＦＴのゲート電極及び前記第２のＴＦＴのゲート電極に接続され、
前記容量素子の他方の端子は、前記第１のＴＦＴのゲート電極及び前記第２のＴＦＴのゲート電極と接続されていることを特徴とする表示装置。
【請求項３８】
請求項１乃至請求項３７のいずれか１項において、前記第１のＴＦＴまたは前記第２のＴＦＴのスイッチングは、ビデオ信号によって制御されていることを特徴とする表示装置。
【請求項３９】
請求項１乃至請求項３７のいずれか１項において、前記第１のＴＦＴ及び前記第２のＴＦＴのスイッチングは、ビデオ信号によって制御されていることを特徴とする表示装置。
【請求項４０】
請求項１乃至請求項３９のいずれか１項において、前記第１のＴＦＴのゲート電極と前記第２のＴＦＴのゲート電極は、互いに接続されていることを特徴とする表示装置。
【請求項４１】
請求項１乃至請求項４０のいずれか１項において、前記第１のＴＦＴと前記第２のＴＦＴは一方がオンの状態のとき、他方はオフの状態になっていることを特徴とする表示装置。
【請求項４２】
請求項１乃至請求項４１のいずれか１項において、前記表示装置は発光素子が備えられていることを特徴とする表示装置。
【請求項４３】
請求項１乃至請求項４２のいずれか１項において、前記表示装置を用いることを特徴とする電子機器。